(57)【要約】【課題】地域に根ざしたユーザ間のコミュニケーション要素を有する電子紙面を提供する。【解決手段】チラシの閲覧画面に対する画面表示操作を受け付け、その画面表示操作に応じて閲覧画面におけるチラシの表示範囲をチラシの一部分に変更する表示範囲変更手段１３と、表示範囲変更手段１３により変更されたチラシの一部分である表示範囲を示す表示範囲情報を表示範囲情報記憶手段１５に蓄積する表示範囲情報蓄積手段１４と、表示範囲情報記憶手段１５に蓄積されている少なくとも１以上の表示範囲情報を解析して、チラシの閲覧画面を以前閲覧したことがあるユーザに注目されたチラシの範囲を特定する注目範囲特定手段１６とを設ける。注目範囲表示手段１８が注目範囲特定手段１７により特定されたチラシの注目範囲を閲覧画面中に表示するように構成する。【選択図】図１
2010146213.tif 000002
【特許請求の範囲】
【請求項１】
演算制御部と、記憶装置と、通信ネットワークとの通信手段と、を備えたコンピュータで実現する電子紙面表示装置において、
電子紙面の閲覧要求を受け付けて、前記電子紙面の閲覧画面を閲覧要求元のユーザに提供する閲覧画面提供手段と、
前記電子紙面の閲覧画面に対する前記ユーザの画面表示操作を受け付け、前記画面表示操作に応じて前記閲覧画面における前記電子紙面の表示範囲を前記電子紙面の一部分に変更する表示範囲変更手段と、
前記表示範囲変更手段により変更された前記電子紙面の一部分である表示範囲を示す表示範囲情報を前記記憶装置に蓄積する表示範囲情報蓄積手段と、
前記表示範囲情報蓄積手段によって前記記憶装置に蓄積されている少なくとも１以上の表示範囲情報を解析して、前記電子紙面の閲覧画面を以前閲覧したことがあるユーザに注目された前記電子紙面の範囲を特定する注目範囲特定手段と、
前記注目範囲特定手段により特定された電子紙面の注目範囲を前記閲覧画面中に表示する注目範囲表示手段と、
を前記演算制御部で実現することを特徴とする電子紙面表示装置。
【請求項２】
前記注目範囲特定手段は、前記表示範囲情報蓄積手段によって前記記憶装置に蓄積されている少なくとも１以上の表示範囲情報のうち、前記閲覧画面提供手段により閲覧要求が受け付けられたユーザと属性が同一のユーザの画面表示操作に係る表示範囲情報を解析するように構成されていることを特徴とする請求項１記載の電子紙面表示装置。
【請求項３】
前記注目範囲特定手段は、前記電子紙面の注目範囲内で、特に注目度が高い範囲を特定するように構成され、
前記注目範囲表示手段は、前記注目範囲特定手段により特定された注目範囲内に、特に注目度が高い範囲を入れ子で表示するように構成されていることを特徴とする請求項１又は２記載の電子紙面表示装置。
【請求項４】
前記注目範囲特定手段は、前記表示範囲情報蓄積手段によって前記記憶装置に蓄積されている少なくとも１以上の表示範囲情報の中で、前記閲覧画面提供手段により閲覧要求が受け付けられたユーザとアクセス元が近いユーザの画面表示操作に係る表示範囲情報ほど、より大きな重みを付けて、前記電子紙面の注目範囲を特定するように構成されていることを特徴とする請求項１から３のいずれか一項に記載の電子紙面表示装置。
【請求項５】
前記記憶装置に記憶されている電子紙面の画像データの中から、前記注目範囲特定手段により特定された注目範囲又はユーザにより指定された範囲の画像データを切り出し、前記画像データを指定の携帯端末に送信する画像データ送信手段を設けたことを特徴とする請求項１から４のいずれか一項に記載の電子紙面表示装置。
【請求項６】
前記注目範囲特定手段は、前記画像データ送信手段により送信された画像データが示す範囲を考慮して、前記電子紙面の注目範囲を特定するように構成されていることを特徴とする請求項５記載の電子紙面表示装置。
【請求項７】
演算制御部と、記憶装置と、通信ネットワークとの通信手段と、を備えたコンピュータで実行する電子紙面表示方法において、
閲覧画面提供手段が電子紙面の閲覧要求を受け付けて、前記電子紙面の閲覧画面を閲覧要求元のユーザに提供する閲覧画面提供処理ステップと、
表示範囲変更手段が前記電子紙面の閲覧画面に対する前記ユーザの画面表示操作を受け付け、前記画面表示操作に応じて前記閲覧画面における前記電子紙面の表示範囲を前記電子紙面の一部分に変更する表示範囲変更処理ステップと、
表示範囲情報蓄積手段が前記表示範囲変更処理ステップで変更された前記電子紙面の一部分である表示範囲を示す表示範囲情報を前記記憶装置に蓄積する表示範囲情報蓄積処理ステップと、
注目範囲特定手段が前記表示範囲情報蓄積処理ステップで前記記憶装置に蓄積されている少なくとも１以上の表示範囲情報を解析して、前記電子紙面の閲覧画面を以前閲覧したことがあるユーザに注目された前記電子紙面の範囲を特定する注目範囲特定処理ステップと、
注目範囲表示手段が前記注目範囲特定処理ステップで特定された電子紙面の注目範囲を前記閲覧画面中に表示する注目範囲表示処理ステップと、
を前記演算制御部で実行することを特徴とする電子紙面表示方法。
【発明の詳細な説明】
【技術分野】
【０００１】
本発明は、電子紙面（例えば、ウェブページ上で電子化されたチラシ）の閲覧画面を提供する電子紙面表示装置及び方法に関するものである。
【背景技術】
【０００２】
近年、ウェブページ上で電子化されたチラシの閲覧画面を提供する電子紙面表示装置が開発されている（例えば、非特許文献１を参照）。
この電子紙面表示装置は、例えば、インターネットに接続されているウェブサーバに搭載されている。
したがって、ユーザが、例えば、パソコンや携帯電話などの端末（以下、「ユーザ端末」と称する）を操作して、電子紙面表示装置にアクセスすれば、電子紙面表示装置からチラシの閲覧画面がユーザ端末に提示される。
これにより、ユーザは、チラシの閲覧画面をユーザ端末上で見ることができる。
【０００３】
また、この電子紙面表示装置は、閲覧画面に表示されているチラシのスクロール操作や、チラシの拡大操作などを受け付ける機能を備えている。
したがって、ユーザがユーザ端末のキーボードやマウスなどを用いて、チラシのスクロール操作や拡大操作をすれば、チラシをスクロールし、かつ、チラシを拡大することができる。
なお、以下の特許文献１及び２には、チラシの電子化や掲載の便宜に関する提案が開示されている。
【０００４】
【非特許文献１】http://chirashi.yahoo.co.jp/
【特許文献１】特開２００４−５４２９９号公報
【特許文献２】特開２００２−１７５４７３号公報
【発明の開示】
【発明が解決しようとする課題】
【０００５】
従来の電子紙面表示装置は以上のように構成されているので、ユーザはチラシをユーザ端末上で見ることが可能であり、また、特定の箇所を拡大して見ることもできる。しかし、チラシの閲覧に伴う情報の送信方向は、電子紙面表示装置からユーザ端末への一方通行であり、ユーザ端末から電子紙面表示装置に情報が送信されることはない。このため、チラシのどの部分を注目して見るかは各ユーザに委ねられており、他の多くのユーザがチラシのどの部分に注目しているかは知ることができず、口コミのような地域的コミュニケーションの要素に欠けていた。
また、ユーザがチラシを持ち出すには、わざわざプリンタなどを用いて印刷しなければならず、印刷等の負担が増える問題もあった。
【０００６】
本発明は、上記のような従来技術の課題を解決するもので、その目的は、地域に根ざしたユーザ間のコミュニケーション要素を有する電子紙面を提供することである。
また、本発明の他の目的は、紙チラシのような軽快な使い勝手を実現することである。
【課題を解決するための手段】
【０００７】
（１）この発明に係る電子紙面表示装置は、演算制御部と、記憶装置と、通信ネットワークとの通信手段と、を備えたコンピュータで実現するものであって、電子紙面の閲覧要求を受け付けて、前記電子紙面の閲覧画面を閲覧要求元のユーザに提供する閲覧画面提供手段と、前記電子紙面の閲覧画面に対する前記ユーザの画面表示操作を受け付け、前記画面表示操作に応じて前記閲覧画面における前記電子紙面の表示範囲を前記電子紙面の一部分に変更する表示範囲変更手段と、前記表示範囲変更手段により変更された前記電子紙面の一部分である表示範囲を示す表示範囲情報を前記記憶装置に蓄積する表示範囲情報蓄積手段と、前記表示範囲情報蓄積手段によって前記記憶装置に蓄積されている少なくとも１以上の表示範囲情報を解析して、前記電子紙面の閲覧画面を以前閲覧したことがあるユーザに注目された前記電子紙面の範囲を特定する注目範囲特定手段と、前記注目範囲特定手段により特定された電子紙面の注目範囲を前記閲覧画面中に表示する注目範囲表示手段と、を前記演算制御部で実現することを特徴とするものである。
【０００８】
（１−２）この発明を方法の観点から把握すると、演算制御部と、記憶装置と、通信ネットワークとの通信手段とを備えたコンピュータで実行する電子紙面表示方法は、閲覧画面提供手段が電子紙面の閲覧要求を受け付けて、前記電子紙面の閲覧画面を閲覧要求元のユーザに提供する閲覧画面提供処理ステップと、表示範囲変更手段が前記電子紙面の閲覧画面に対する前記ユーザの画面表示操作を受け付け、前記画面表示操作に応じて前記閲覧画面における前記電子紙面の表示範囲を前記電子紙面の一部分に変更する表示範囲変更処理ステップと、表示範囲情報蓄積手段が前記表示範囲変更処理ステップで変更された前記電子紙面の一部分である表示範囲を示す表示範囲情報を前記記憶装置に蓄積する表示範囲情報蓄積処理ステップと、注目範囲特定手段が前記表示範囲情報蓄積処理ステップで前記記憶装置に蓄積されている少なくとも１以上の表示範囲情報を解析して、前記電子紙面の閲覧画面を以前閲覧したことがあるユーザに注目された前記電子紙面の範囲を特定する注目範囲特定処理ステップと、注目範囲表示手段が前記注目範囲特定処理ステップで特定された電子紙面の注目範囲を前記閲覧画面中に表示する注目範囲表示処理ステップと、を前記演算制御部で実行することを特徴とする。
【０００９】
これらの発明によれば、地域に根ざしたユーザ間のコミュニケーション要素を有する電子紙面を提供することができる電子紙面表示装置及び電子紙面表示方法が得られる。
【００１０】
（２）（１）の前記注目範囲特定手段において、前記表示範囲情報蓄積手段によって前記記憶装置に蓄積されている少なくとも１以上の表示範囲情報のうち、前記閲覧画面提供手段により閲覧要求が受け付けられたユーザと属性が同一のユーザの画面表示操作に係る表示範囲情報を解析するように構成されていてもよい。
この発明によれば、関連性が高いユーザ間のコミュニケーション要素を電子紙面に反映することができる電子紙面表示装置が得られる。
【００１１】
（３）（１）又は（２）の電子紙面表示装置において、前記注目範囲特定手段が、前記電子紙面の注目範囲内で、特に注目度が高い範囲を特定するように構成され、前記注目範囲表示手段が、前記注目範囲特定手段により特定された注目範囲内に、特に注目度が高い範囲を入れ子で表示するように構成されていてもよい。
この発明によれば、多くのユーザが特に注目している箇所を把握することができる電子紙面表示装置が得られる。
【００１２】
（４）（１）から（３）の前記注目範囲特定手段において、前記表示範囲情報蓄積手段によって前記記憶装置に蓄積されている少なくとも１以上の表示範囲情報のうち、前記閲覧画面提供手段により閲覧要求が受け付けられたユーザとアクセス元が近いユーザの画面表示操作に係る表示範囲情報ほど、より大きな重みを付けて、前記電子紙面の注目範囲を特定するように構成されていてもよい。
この発明によれば、近隣のユーザが注目している箇所を把握することができる電子紙面表示装置が得られる。
【００１３】
（５）（１）から（４）の電子紙面表示装置において、前記記憶装置に記憶されている電子紙面の画像データの中から、前記注目範囲特定手段により特定された注目範囲又はユーザにより指定された範囲の画像データを切り出し、前記画像データを指定の携帯端末に送信する画像データ送信手段を設けるように構成されていてもよい。
この発明によれば、紙チラシのような軽快な使い勝手を実現することができる電子紙面表示装置が得られる。
【００１４】
（６）（５）の前記注目範囲特定手段において、前記画像データ送信手段により送信された画像データが示す範囲を考慮して、前記電子紙面の注目範囲を特定するように構成されていてもよい。
この発明によれば、注目範囲の特定精度を高めることができる電子紙面表示装置が得られる。
【発明の効果】
【００１５】
この発明によれば、地域に根ざしたユーザ間のコミュニケーション要素を有する電子紙面を提供することができる効果がある。
【発明を実施するための最良の形態】
【００１６】
次に、本発明を実施するための複数の最良の形態（それぞれ以下「実施形態」と呼ぶ）について、図に沿って説明する。なお、背景技術や課題などで既に述べた内容と共通の前提事項については適宜省略する。
【００１７】
〔１．第１実施形態の構成〕
まず、第１実施形態は、図１の構成図に示すように、パーソナルコンピュータに代表されるコンピュータ１上に実現される電子紙面表示装置（以下「本装置」とも呼ぶ）に関するものである。コンピュータ１は、主メモリや外部記憶装置（ＨＤＤなど）などの記憶装置２と、ＣＰＵなどの演算制御部３と、通信ネットワークＮと通信するためのＬＡＮアダプタなどの通信手段４と、を備えている。
【００１８】
また、本装置は、ウェブ上で電子化されたチラシの画像データを記憶しているチラシ画像記憶手段１１と、チラシの閲覧画面を閲覧要求元のユーザに提供する閲覧画面提供手段１２と、ユーザの画面表示操作に応じて閲覧画面におけるチラシの表示範囲をチラシの一部分に変更する表示範囲変更手段１３と、変更されたチラシの一部分である表示範囲を示す表示範囲情報を表示範囲情報記憶手段１５に蓄積する表示範囲情報蓄積手段１４と、チラシの注目範囲を特定する注目範囲特定手段１６と、チラシの注目範囲を示す注目範囲情報を記憶する注目範囲情報記憶手段１７と、注目範囲情報が示す注目範囲を閲覧画面中に表示する注目範囲表示手段１８と、チラシの画像データの中から一部の画像データを切り出して、指定の携帯端末に送信する画像データ送信手段１９と、を有する。
【００１９】
これら各要素のうち、閲覧画面提供手段１２、表示範囲変更手段１３、表示範囲情報蓄積手段１４、注目範囲特定手段１６、注目範囲表示手段１８及び画像データ送信手段１９は、演算制御部３が予め記憶装置２に格納（インストール）している図示しないコンピュータ・プログラムである電子紙面表示プログラムを実行することで実現するものであって、本発明及び実施形態の各機能作用や処理ステップを実現する処理手段である。
また、チラシ画像記憶手段１１、表示範囲情報記憶手段１５及び注目範囲情報記憶手段１７は、記憶装置２上で情報を記憶する部分であり、ファイルやデータベース、変数値やシステム登録値などとして実現される。本実施形態では、チラシ画像記憶手段１１、表示範囲情報記憶手段１５及び注目範囲情報記憶手段１７を別個独立としているが、一体に構成してもよい。
【００２０】
〔２．第１実施形態の基本的作用効果〕
図２のフローチャートは、本装置の処理内容を示しているので、以下、図２を参照しながら説明する。
【００２１】
まず、閲覧画面提供手段１２は、チラシの閲覧要求を受け付ける処理を行う（ステップＳＴ１）。
即ち、閲覧画面提供手段１２は、あるユーザ端末Ｔから通信ネットワークＮ経由でアクセスされると、あるチラシ（閲覧可能なチラシが複数枚ある場合、ユーザにより指定されたチラシ）の閲覧要求の受付を行う。
なお、チラシの閲覧要求には、ユーザが閲覧を希望しているチラシのＩＤが含まれている。
【００２２】
閲覧画面提供手段１２は、あるチラシの閲覧要求を受け付けると、チラシ画像記憶手段１１からその閲覧要求に含まれているチラシＩＤに対応するチラシの画像データを取得し、通信ネットワークＮ経由で、そのチラシの閲覧画面を閲覧画面元のユーザ端末Ｔにダウンロードする（ステップＳＴ２）。
例えば、チラシＩＤが“ＸＹ５６”であるチラシの閲覧を希望している場合には、期限切れでなければ、チラシＩＤ“ＸＹ５６”に対応するチラシの画像データ（ファイル名“○○．ｐｄｆ”）を取得して、そのチラシの閲覧画面を提供する（図３を参照）。
ここでは、ＰＤＦファイルの画像データを想定しているが、画像データのファイル形式は特に限定するものではなく、他のファイル形式の画像データであってもよい。
【００２３】
これにより、ユーザ端末Ｔには、図４に示すようなチラシの閲覧画面が表示される。
この閲覧画面には、ウェブブラウザ上で、ＨＴＭＬなどマークアップ言語の記述や、ブラウザのプラグインプレーヤーで再生されるインタラクティブ動画ファイルなどの作用により、各種の画面操作を受け付けるアイコン（操作ボタン）が表示されており、例えば、「拡大」アイコンは、チラシを拡大する際に使用し、「縮小」アイコンは、チラシを縮小する際に使用し、「印刷」アイコンは、チラシを印刷する際に使用する。
また、「ウラ面へ」アイコンは、チラシのウラ面を表示する際に使用し、「オモテ面へ」アイコンは、チラシの表示をオモテ面に戻す際に使用する。
【００２４】
表示範囲変更手段１３は、チラシの閲覧画面に対する画面表示操作を受け付け（ステップＳＴ３）、その画面表示操作に応じて閲覧画面におけるチラシの表示範囲をチラシの一部分に変更する処理を実施する（ステップＳＴ４）。
例えば、ユーザが「拡大」アイコンをクリックしたのち、マウスカーソルをチラシの注目箇所に移動させて、マウスの左ボタンを押下する画面表示操作を行えば、マウスカーソルがある箇所が拡大表示されるように、チラシの表示範囲を変更する。図５は表示範囲変更後の閲覧画面の一例を示している。
【００２５】
表示範囲情報蓄積手段１４は、表示範囲変更手段１３がチラシの表示範囲をチラシの一部分に変更すると、図６に示すように、チラシの一部分である表示範囲を示す表示範囲情報を表示範囲情報記憶手段１５に蓄積する（ステップＳＴ５）。
例えば、ユーザによってチラシを拡大する画面表示操作が行われた場合、拡大後のチラシの表示範囲を示す表示範囲情報が表示範囲情報記憶手段１５に蓄積される。
また、チラシの一部分の拡大表示中に、ユーザによってチラシをスクロールする画面表示操作が行われた場合において、所定時間（例えば、１秒）以上、スクロールを停止している状態があれば、スクロールを停止しているときの閲覧画面におけるチラシの表示範囲を示す表示範囲情報が表示範囲情報記憶手段１５に蓄積される。
なお、画面表示操作を行っているユーザが、予めユーザ登録されているユーザであって、この画面表示操作がログイン後の操作であれば、ユーザ登録時に割り当てられるユーザＩＤや、ユーザ登録時の登録情報であるユーザの属性（例えば、年齢、性別、住所、郵便番号など）についても、表示範囲情報記憶手段１５に蓄積する。
【００２６】
注目範囲特定手段１６は、表示範囲情報記憶手段１５に蓄積されている表示範囲情報のうち、例えば、チラシＩＤ“ＸＹ５６”のチラシに関する全ての表示範囲情報を解析して、当該チラシの閲覧画面を以前閲覧したことがあるユーザに注目された当該チラシの範囲を特定する（ステップＳＴ６）。
一例として、以下のようにして、チラシの注目範囲を特定する。
まず、注目範囲特定手段１６は、例えば、図７に示すように、チラシの領域をマス目状に分割する（例えば、チラシの領域を縦横８×８のマス目に分割する）。また、各マス目の注目度を示す指標値を初期化する（各マス目の指標値を“０”に初期化する）。
【００２７】
次に、注目範囲特定手段１６は、表示範囲情報記憶手段１５から表示範囲情報を１つ取り出し、その表示範囲情報が示す表示範囲とチラシのマス目と対応付けを行う。
そして、注目範囲特定手段１６は、その表示範囲情報が示す表示範囲に対応するマス目の指標値に“１”を加算する。
例えば、表示範囲情報が示す表示範囲が（１，１）−（４，４）であれば、図８に示すように、（１，１）−（４，４）の表示範囲に対応するマス目の指標値を“０”から“１”に変更する。
【００２８】
注目範囲特定手段１６は、表示範囲情報記憶手段１５において、未だ取り出していない表示範囲情報があれば、その表示範囲情報を１つ取り出し、上記と同様にして、その表示範囲情報が示す表示範囲に対応するマス目の指標値に“１”を加算する。
例えば、表示範囲（４，４）−（７，７）を示す表示範囲情報を取り出していれば、図９に示すように、（４，４）のマス目の指標値を“１”から“２”に変更し、（５，４）−（７，４）と（４，５）−（７，７）の表示範囲に対応するマス目の指標値を“０”から“１”に変更する。
表示範囲情報記憶手段１５に蓄積されている当該チラシに関する全ての表示範囲情報を取り出して、その表示範囲情報が示す表示範囲に対応するマス目の指標値の加算が終了するまで、上記と同様の処理を繰り返し実施する。
【００２９】
次に、注目範囲特定手段１６は、チラシの各マス目の中で、注目度が高いマス目を特定する。
例えば、各マス目の指標値の偏差値を算出し、その偏差値が規定値（例えば、偏差値“６０”）以上のマス目が、注目度が高いマス目であると特定する。
図１０の例では、（３，２）−（５，４）のマス目の偏差値が規定値以上であるため、（３，２）−（５，４）のマス目をユーザの注目範囲として特定している。また、その注目範囲内の（４，４）のマス目の指標値が特に高いので（例えば、偏差値“６５”以上）、（４，４）のマス目を特に注目度が高い範囲（以下、「高注目度範囲」と称する）として特定している。
注目範囲特定手段１６は、ユーザの注目範囲を特定すると、図１１に示すように、その注目範囲を示す注目範囲情報を注目範囲情報記憶手段１７に記録する。
【００３０】
ここでは、注目範囲特定手段１６が表示範囲情報記憶手段１５に蓄積されている当該チラシに関する全ての表示範囲情報を解析して、注目範囲を特定するものについて示したが、表示範囲情報記憶手段１５に蓄積されている表示範囲情報のうち、閲覧画面提供手段１２により閲覧要求が受け付けられたユーザと属性が同一のユーザの画面表示操作に係る表示範囲情報だけを解析して、注目範囲を特定するようにしてもよい。
【００３１】
具体的には、閲覧要求が受け付けられたユーザが、予めユーザ登録されているユーザであれば、そのユーザの登録情報を取得して、ユーザの属性（例えば、年齢、性別、住所、郵便番号など）を把握する。
例えば、当該ユーザと年代が同一のユーザの画面表示操作に係る表示範囲情報を解析するように設定されている場合には、表示範囲情報記憶手段１５に蓄積されている表示範囲情報の中から、当該ユーザと同一の年代（例えば、４０代）のユーザに係る表示範囲情報を取り出し、その表示範囲情報を解析するようにする。
解析対象の表示範囲情報は、例えば、閲覧画面中の「属性変更」アイコンをクリックすれば、図１２に示すように、変更可能な属性が表示されるので、ユーザが所望の属性を選択することで、簡単に変更することができる。
例えば、当該ユーザと性別が同一のユーザに係る表示範囲情報を解析するように変更すれば、表示範囲情報記憶手段１５に蓄積されている表示範囲情報の中から、当該ユーザと同一の性別のユーザの画面表示操作に係る表示範囲情報を取り出し、その表示範囲情報を解析するようにする。
【００３２】
注目範囲表示手段１８は、注目範囲特定手段１６が注目範囲情報を注目範囲情報記憶手段１７に記録すると、その注目範囲情報記憶手段１７から注目範囲情報を取得し、図１３に示すように、その注目範囲情報が示す注目範囲を閲覧画面中に表示する（ステップＳＴ７）。
図１３では、画面表示操作が行われる前のチラシの閲覧画面（チラシの全体を表示している閲覧画面）に注目範囲が表示されている例を示しており、（３，２）−（５，４）の範囲が注目範囲Ｓ（点線で示す範囲）であり、また、その注目範囲Ｓ内の（４，４）の範囲が高注目度範囲ＨＳである（一転鎖線で示す範囲）。
これにより、各ユーザは、多くのユーザが注目しているチラシの範囲を確認することができる。
なお、ユーザは閲覧画面中の「みんなの注目箇所ＯＦＦ」アイコンをクリックすれば、閲覧画面中の注目範囲Ｓ及び高注目度範囲ＨＳの表示を消去することができる。また、「みんなの注目箇所ＯＮ」アイコンをクリックすれば、再度、閲覧画面中の注目範囲Ｓ及び高注目度範囲ＨＳを表示することができる。
【００３３】
ユーザは、多くのユーザが注目しているチラシの範囲の持ち出しを希望する場合、閲覧画面中の「現在の範囲を送信」アイコンをクリックすれば、その注目範囲の画像データを指定の携帯端末（例えば、登録情報に記録されている自己の携帯電話）に送信することができる。
即ち、画像データ送信手段１９は、ユーザが閲覧画面中の「現在の範囲を送信」アイコンをクリックすると、チラシ画像記憶手段１１に記憶されているチラシの画像データ（図３を参照）を取得し、その画像データの中から、注目範囲情報記憶手段１７に記憶されている注目範囲情報が示す注目範囲の画像データを切り出し、その画像データを指定の携帯端末に送信する。
あるいは、ユーザが閲覧画面中の「チラシ切り出し」アイコンをクリックして、持ち出すチラシの範囲を指定すると、画像データ送信手段１９が、チラシ画像記憶手段１１に記憶されているチラシの画像データの中から、その指定範囲の画像データを切り出し、その画像データを指定の携帯端末に送信する。
これにより、ユーザは、携帯端末上でチラシの一部を見ることができる。
なお、スマートフォンなどのスクリーン表示機能を備えた携帯電話ブラウザ機能などでは、その画面が狭い分、前記注目範囲の精度に優れている利点がある。
【００３４】
以上のように、第１実施形態によれば、チラシの閲覧画面に対する画面表示操作を受け付け、その画面表示操作に応じて閲覧画面におけるチラシの表示範囲をチラシの一部分に変更する表示範囲変更手段１３と、表示範囲変更手段１３により変更されたチラシの一部分である表示範囲を示す表示範囲情報を表示範囲情報記憶手段１５に蓄積する表示範囲情報蓄積手段１４と、表示範囲情報記憶手段１５に蓄積されている少なくとも１以上の表示範囲情報を解析して、チラシの閲覧画面を以前閲覧したことがあるユーザに注目されたチラシの範囲を特定する注目範囲特定手段１６とを設け、注目範囲表示手段１８が注目範囲特定手段１７により特定されたチラシの注目範囲を閲覧画面中に表示するように構成したので、多くのユーザが注目している箇所を確認することができるチラシ、即ち、地域に根ざしたユーザ間のコミュニケーション要素を有するチラシを提供することができる効果が得られる。
【００３５】
また、第１実施形態によれば、表示範囲情報記憶手段１５に蓄積されている少なくとも１以上の表示範囲情報のうち、閲覧画面提供手段１２により閲覧要求が受け付けられたユーザと属性が同一のユーザの画面表示操作に係る表示範囲情報を解析するように構成したので、関連性が高いユーザ間のコミュニケーション要素をチラシに反映することができる効果が得られる。
【００３６】
また、第１実施形態によれば、注目範囲特定手段１６が、チラシの注目範囲内で、特に注目度が高い範囲を特定し、注目範囲表示手段１８が、注目範囲特定手段１６により特定された注目範囲内に、特に注目度が高い範囲を入れ子で表示するように構成したので、多くのユーザが特に注目している箇所を把握することができる効果が得られる。
【００３７】
さらに、第１実施形態によれば、チラシ画像記憶手段１１に記憶されているチラシの画像データの中から、注目範囲情報記憶手段１７に記憶されている注目範囲情報が示す注目範囲又はユーザにより指定された範囲の画像データを切り出し、その画像データを指定の携帯端末に送信する画像データ送信手段１９を設けるように構成したので、紙チラシのような軽快な使い勝手を実現することができる効果が得られる。
【００３８】
なお、第１実施形態では、電子紙面がチラシである例を示したが、これは一例に過ぎず、本発明にいう「電子紙面」は、例えば電子化された新聞紙や、ＨＴＭＬ等マークアップ言語などで記述された通常のウェブページなど、様々な電子紙面が含まれる。
【００３９】
〔第１変形例〕
上記第１実施形態では、表示範囲情報記憶手段１５に蓄積されている少なくとも１以上の表示範囲情報のうち、閲覧画面提供手段１２により閲覧要求が受け付けられたユーザと属性が同一のユーザの画面表示操作に係る表示範囲情報だけを解析して、注目範囲を特定する例を示したが、閲覧画面提供手段１２により閲覧要求が受け付けられたユーザとアクセス元が近いユーザの画面表示操作に係る表示範囲情報ほど、より大きな重みを付けて、チラシの注目範囲を特定するようにしてもよい。
【００４０】
即ち、注目範囲特定手段１６は、閲覧画面提供手段１２を介して、例えば、ユーザ端末ＴのＩＰアドレスを取得し、そのＩＰアドレスから概略のアクセス元を把握する。
そして、注目範囲特定手段１６は、当該ユーザのアクセス元と、表示範囲情報記憶手段１５に蓄積されているユーザ登録時の登録情報であるユーザの属性（例えば、住所、郵便番号）を照合して、当該ユーザとアクセス元が近いユーザの画面表示操作に係る表示範囲情報を特定する。
注目範囲特定手段１６は、表示範囲情報を解析して、チラシの注目範囲を特定する際、ユーザとアクセス元が近いユーザの画面表示操作に係る表示範囲情報に大きな重み付けを行うことで、アクセス元が近いユーザの画面表示操作に係る表示範囲情報ほど重視して、チラシの注目範囲を特定するようにする。
これにより、近隣のユーザが注目している箇所を把握することができるようになる。
【００４１】
〔第２変形例〕
上記第１実施形態では、特に言及していないが、注目範囲特定手段１６がチラシの注目範囲を特定する際、画像データ送信手段１９により送信された画像データが示す範囲を考慮して、チラシの注目範囲を特定するようにしてもよい。
画像データ送信手段１９により送信された画像データが示す範囲は、注目度が高いと考えられるので、より注目範囲の特定精度を高めることができる。
【００４２】
〔３．第２実施形態〕
上記第１実施形態では、画像データ送信手段１９を実装している電子紙面表示装置について示したが、画像データ送信手段１９は必須の構成要素ではなく、画像データ送信手段１９を省略してもよい。
この場合、電子紙面表示装置の構成要素が簡略化される。
【図面の簡単な説明】
【００４３】
【図１】本発明の第１実施形態による電子紙面表示装置の構成を示す機能ブロック図である。
【図２】本発明の第１実施形態による電子紙面表示装置の処理内容を示すフローチャートである。
【図３】チラシの画像データを示す説明図である。
【図４】チラシの閲覧画面の一例を示す説明図である。
【図５】表示範囲変更後の閲覧画面の一例を示す説明図である。
【図６】表示範囲表示情報を示す説明図である。
【図７】マス目状に分割されたチラシの領域を示す説明図である。
【図８】表示範囲情報が示す表示範囲に対応するマス目の指標値を示す説明図である。
【図９】表示範囲情報が示す表示範囲に対応するマス目の指標値を示す説明図である。
【図１０】表示範囲情報が示す表示範囲に対応するマス目の指標値を示す説明図である。
【図１１】注目範囲情報を示す説明図である。
【図１２】変更可能な属性の一例を示す説明図である。
【図１３】注目範囲が表示されている閲覧画面の一例を示す説明図である。
【符号の説明】
【００４４】
Ｎ  通信ネットワーク
Ｔ  ユーザ端末
１  コンピュータ
２  記憶装置
３  演算制御部
４  通信手段
１１  チラシ画像記憶手段
１２  閲覧画面提供手段
１３  表示範囲変更手段
１４  表示範囲情報蓄積手段
１５  表示範囲情報記憶手段
１６  注目範囲特定手段
１７  注目範囲情報記憶手段
１８  注目範囲表示手段
１９  画像データ送信手段
【図１】
2010146213.tif 000003
【図２】
2010146213.tif 000004
【図３】
2010146213.tif 000005
【図４】
2010146213.tif 000006
【図５】
2010146213.tif 000007
【図６】
2010146213.tif 000008
【図７】
2010146213.tif 000009
【図８】
2010146213.tif 000010
【図９】
2010146213.tif 000011
【図１０】
2010146213.tif 000012
【図１１】
2010146213.tif 000013
【図１２】
2010146213.tif 000014
【図１３】
2010146213.tif 000015